(57)【要約】      （修正有）【課題】ブラジャーやその他の女性用のランジェリーなどのファンデーションのバスト当接部分であるカップ形状部に装着するためのカップ成形体を提供する。【解決手段】ブラジャーその他のファンデーションの乳房当接部に当接する部分のカップ形状部３に装着するために用いるカップ成形体１は、通気性および弾性を有する合成繊維からなる不織布と、この両面を被覆している合成繊維からなる編地の薄布から形成した、１．５〜７ｍｍ厚の平面状の素材４からなり、この素材の３種類の裁断片４ａ、裁断片４ｂおよび裁断片４ｃを突合わせ当接して、突合わせ部９としてカップ形状部とし、この突合わせ部９の両面に薄いテープ状の当て布１０を載せて縫い糸１１でジグザグに縫製してカップ形状部３を接合形成して一体化し、ブラジャーあるいはその他のファンデーションの乳房当接部に装着するカップ成形体１となる。【選択図】図１
0003172340.tif 000002
【実用新案登録請求の範囲】
【請求項１】
ブラジャーやその他のファンデーションのバストと当接する部分のカップ形状部に挿着するためのカップ成形体で、このカップ成形体は通気性および弾性を有する合成繊維からなる不織布とこの不織布の両面を被覆している合成繊維からなる編地の薄布から形成した１．５〜７ｍｍ厚の素材からなる裁断片を組み合わせてパッチワーク法で接合形成のカップ形状部からなることを特徴とするカップ形状部に形成したブラジャーあるいはその他のファンデーションの乳房当接部に装着するカップ成形体。
【請求項２】
通気性および弾性を有する合成繊維からなる不織布および不織布の両面を被覆する合成繊維からなる編地の薄布は、共にポリエステル繊維であることを特徴とする請求項１に記載のカップ形状部に形成したブラジャーあるいはその他のファンデーションの乳房当接部に装着するカップ成形体。
【請求項３】
合成繊維からなる不織布は２〜４ｍｍ径の小径からなる通気孔を５〜８ｍｍ間隔で縦横に分散して不織布の布面に垂直に開口して通気性を有し、この不織布の両面は編地の薄布で被覆され、これらの不織布および編地の薄布からなる素材が通気性を有することを特徴とする請求項２に記載のカップ形状部に形成したブラジャーあるいはその他のファンデーションの乳房当接部に装着するカップ成形体。
【考案の詳細な説明】
【技術分野】
【０００１】
この考案は、ブラジャーその他のファンデーションの乳房当接部に装着するカップ成形体であって、合成繊維からなる通気性および弾性を有する不織布の両面を薄い編地で被覆して形成の数ｍｍ厚の素材、特に細孔を分散開口して通気性を高めた合成繊維からなる通気性および弾性を有する不織布の両面を薄い編地で被覆した数ｍｍ厚の素材からカップ形状部に形成したブラジャーその他のファンデーションのカップ成形体に関する。
【背景技術】
【０００２】
従来、ブラジャーは乳房を安定にサポートし、かつ、乳房形状を格好よく補整する作用を有するものとして女性に必須の下着である。現在、常用されているブラジャーの大多数は、乳房のカップ部形状に成形したウレタンフォームなどからなるカップ成形体をブラジャーのカップ部に内蔵したり、あるいは乳房に沿う乳房形状の立ち上り部の周縁部のアンダーバスト形状を補うパットを内蔵している。これらのブラジャーを構成する生地の内部に内蔵されたカップ成形体やパッドは女性の乳房にフィットして乳房を下方から支え、左右の乳房を中央に寄せて持ち上げる形状に形成されており、乳房の形状を補整し、乳房の形を美しくあるいは豊かに見せる機能を有するものである（例えば、特許文献１参照）。
【０００３】
しかし、夏季の高湿度下では、カップ成形体やパッドの素材であるウレタンフォームは、気泡が微小で緻密であるので、たとえ気泡が連続気泡に成形されていても通気性は十分でなく阻害される。そのために蒸れて必ずしも装着感触の満足できるものではなかった。
【０００４】
そこで、本出願人はブラジャーやその他の女性用のランジェリーなどのファンデーションのバスト当接部分であるカップ形状部に装着するためのカップ成形体において、微小な連続気泡からなるウレタンフォームから形成された通気性のあるカップ成形体の全面の通気性をより良好とする５〜８ｍｍの間隔で１．５〜２ｍｍ径の小孔の通気孔を分散して設け、かつ、最も汗をかく部分に当接するカップの立上り部に１５〜２０ｍｍ間隔で６〜８ｍｍの大径の通気孔を設けて、この部分の通気性を最も良好なものとしているウレタンフォームからなるカップ成形体を開発している（例えば、特許文献２参照。）。しかし、このものはウレタンフォームからなるものであるので、ウレタンフォームの一般的な欠点である、経年変化で色が黄色に茶を帯びた色に変色し、さらにウレタンフォームが劣化してぼろぼろに欠けた部分を生じる問題があった。これらの変色や欠けはブラジャーやその他の女性用のランジェリーの薄手の生地からなる衣服や夏季に着用する薄手のブラウスなどの上着からも見えるという問題があった。
【先行技術文献】
【特許文献】
【０００５】
【特許文献１】特開２０００−３１４００８号公報
【特許文献２】登録実用新案第３１６８２２０号公報
【考案の概要】
【考案が解決しようとする課題】
【０００６】
この考案は、ブラジャーやその他の女性用のランジェリーなどのファンデーションのバスト当接部分であるカップ形状部に装着するためのカップ成形体において、上記した従来のカップ成形体の問題点を解消するものであり、通気性のある素材からカップ成形体を形成して全面の通気性をより良好とすると共に、経年変化で変色してその上にきたブラウスなどの薄手の上着から見えることのない、ブラジャーその他ファンデーションの乳房当接部に装着するカップ成形体を提供することである。
【課題を解決するための手段】
【０００７】
上記の課題を解決するための、本考案の第１の手段は、ブラジャーやその他のファンデーションのバストと当接する部分のカップ形状部に挿着するためのカップ成形体で、このカップ成形体は通気性および弾性を有する合成繊維からなる不織布とこの不織布の両面を被覆している合成繊維からなる編地の薄布から形成した１．５〜７ｍｍ厚の素材からなる裁断片を組み合わせてパッチワーク法で接合形成のカップ形状部からなることを特徴とするカップ形状部に形成したブラジャーあるいはその他のファンデーションの乳房当接部に装着するカップ成形体である。
【０００８】
本考案の第２の手段は、通気性および弾性を有する合成繊維からなる不織布および不織布の両面を被覆する合成繊維からなる編地の薄布は、共にポリエステル繊維であることを特徴とする請求項１の手段のカップ形状部に形成したブラジャーあるいはその他のファンデーションの乳房当接部に装着するカップ成形体である。
【０００９】
本考案の第３の手段は、合成繊維からなる不織布は２〜４ｍｍ径の小径からなる通気孔を５〜８ｍｍ間隔で縦横に分散して不織布の布面に垂直に開口して通気性を有し、この不織布の両面は編地の薄布で被覆され、これらの不織布および編地の薄布からなる素材が通気性を有することを特徴とする請求項２の手段のカップ形状部に形成したブラジャーあるいはその他のファンデーションの乳房当接部に装着するカップ成形体である。
【考案の効果】
【００１０】
本考案のブラジャーやその他の女性用のファンデーションのバストと当接する部分のカップ形状部に装着するカップ成形体は、通気性に優れた不織布と、その両面を同じく通気性に優れた編地から形成されており、カップ形状部を有するブラジャーやその他の女性用のファンデーションの身体への装着感を良好とするために、通気性に優れた不織布は、さらにその全面に２〜４ｍｍ径の小径からなる通気孔を５〜８ｍｍ間隔で分散して形成しているので一層に通気性良好とし、夏季にブラジャーなどに本考案のカップ成形体を装着しても、汗でむれることがなく、さらに、これらの不織布の通気孔は薄い編地の素材で覆われているので薄手のブラウスなどの上着を通して見えることがない。
【図面の簡単な説明】
【００１１】
【図１】本考案のカップ成形体を模式的に示す平面図である。
【図２】本考案のカップ成形体の素材の構成を示す模式図である。
【図３】本考案のカップ成形体を装着したブラジャーを模式的に示す斜視図である。
【考案を実施するための形態】
【００１２】
以下に、この考案の実施の形態を図面を参照して説明する。先ず、本考案の第１の手段の実施の形態について説明する。この考案は、図３に模式的に示すように、ブラジャー２その他のファンデーションの乳房当接部に当接する部分のカップ形状部３に装着するために用いる、図１に示す形状の、カップ成形体１である。このカップ成形体１は、図２に模式的に示す構成の素材４からなっている。この素材４は、通気性および弾性を有する合成繊維からなる不織布５と、この不織布５の両面５ａを被覆している合成繊維からなる編地の薄布６から形成した、１．５〜７ｍｍ厚の平面状の素材４である。この１．５〜７ｍｍ厚の平面状の素材４からなる３種類の裁断片４ａ、裁断片４ｂおよび裁断片４ｃを突合わせ当接して、図１に示すように、突合わせ部９としてカップ形状部３とし、この突合わせ部９の両面９ａに薄いテープ状の当て布１０を載せて縫い糸１１でジグザグに縫製してカップ形状部３を接合形成して一体化して、ブラジャー２あるいはその他のファンデーションの乳房当接部に装着するカップ成形体１としている。
【００１３】
すなわち、本考案のカップ成形体１は、平面状の不織布５と同じく平面状の合成繊維からなる編地の薄布６から形成された平面状の素材４であるが、これらを適宜形状に裁断して組み合わせることでカップ形状部３から形成している。この組合せ部は突合わせ部９から形成しており、薄いテープ状の当て布１０を載せて縫い糸１１でジグザグに縫製しているので、段差が無くしかもその強度も高く、耐久性のあるものとなっている。
【００１４】
次いで、本考案の第２の手段の実施の形態について説明する。この考案は、通気性および弾性を有する合成繊維からなる不織布５およびこの不織布５の両面５ａを被覆する合成繊維からなる編地からなる薄布６と、さらに、上記のカップ形状部３の突合わせ部９の両面９ａに載置の薄いテープ状の当て布１０は、いずれもポリエステル繊維からなっている、上記の請求項１の手段のカップ形状部３に形成したブラジャー２その他のファンデーションの乳房当接部に装着するカップ成形体１である。このように不織布５と編地からなる薄布６と薄いテープ状の当て布１０はいずれもポリエステル繊維からなるので、従来のカップの素材であるウレタンフォームのように経時変化して黄変化してくすむことなく、したがって、薄い布地のブラジャー２のカップ部２ａの内部に本考案のカップ成形体１を装着しても、その色合いが外に現れることなく、ブラジャー２は新鮮に見える。このような構成からなる第２の手段のカップ成形体１は、上記の請求項１の手段のカップ形状部３に形成したブラジャー２あるいはその他のファンデーションの乳房当接部に装着するカップ成形体１である。
【００１５】
さらに、本考案の第３の手段の実施の形態について説明する。この考案は、合成繊維からなる不織布５は２〜４ｍｍ径の小径からなる通気孔８を５〜８ｍｍ間隔で縦横に分散して不織布５の平面に垂直に開口して通気性を高めている。すなわち、不織布５は通常は粗あらゆる方向に微細な隙間を有し通気性に優れている。しかし、この考案の不織布５は、
さらに、上記のように合成繊維からなる不織布５の平面に２〜４ｍｍ径の小径からなる通気孔８を５〜８ｍｍ間隔で縦横に分散して貫通して材面に有するので、より一層に通気性が優れている。しかも、その不織布５の両面５ａは、編地からなる薄布６で被覆され手いるので、これらの２〜４ｍｍ径の小径からなる通気孔８は、外見上では全く見えることはない。このような構成からなる、第３の手段のカップ成形体１は、上記の請求項２の手段のカップ形状部３に形成したブラジャー２あるいはその他のファンデーションの乳房当接部に装着するカップ成形体１である。
【符号の説明】
【００１６】
１  カップ成形体
２  ブラジャー
２ａ  カップ部
３  カップ形状部
４  素材
４ａ  裁断片
４ｂ  裁断片
４ｃ  裁断片
５  不織布
５ａ  両面
６  編地からなる薄布
７  素材
８  小径からなる通気孔
９  突合せ部
９ａ  両面
１０  当て布
１１  縫い糸
【図１】
0003172340.tif 000003
【図２】
0003172340.tif 000004
【図３】
0003172340.tif 000005